(57)【要約】      （修正有）【課題】視認性及び安定性が高く、取り扱いが容易な服薬支援具を提供する。【解決手段】服薬支援具１は、カレンダー部２、カレンダー支持具３及びリング部材４から成る。カレンダー部２は、７枚の曜日別カレンダーで構成される。曜日別カレンダーには、貫通孔２１ａ及び貫通孔２１ｂが設けられる。２つのリング部材４は、それぞれ貫通孔２１ａ又は貫通孔２１ｂを挿通し、かつカレンダー支持具３の係合部３２ｃに係合した状態で留められる。曜日別カレンダーの各表面上には、それぞれ薬袋用ポケット５が設けられ、薬袋用ポケット５ａ、薬袋用ポケット５ｂ、薬袋用ポケット５ｃ及び薬袋用ポケット５ｄが設けられる。薬袋用ポケット５ａ、薬袋用ポケット５ｂ、薬袋用ポケット５ｃ又は薬袋用ポケット５ｄの上端は開口部となっており、それぞれ薬袋６が挿入される。【選択図】図１
0003232198.tif 000002
【実用新案登録請求の範囲】
【請求項１】
一面に少なくとも１つの薬袋用ポケットを有する平板状の複数枚の曜日別カレンダーから成るカレンダー部と、２本の支柱部と該支柱部を連結する係合部から成るコ字状支持部と該コ字状支持部の両端が固定される台座部とを有するカレンダー支持具と、リング部材、を備え、前記リング部材は、前記カレンダー部に設けられた貫通孔に挿通され、前記コ字状支持部の前記係合部が、前記リング部材のリングに挿通されることを特徴とする服薬支援具。
【請求項２】
前記複数枚の曜日別カレンダーは、それぞれ異なる色で構成されることを特徴とする請求項１に記載の服薬支援具。
【請求項３】
前記薬袋用ポケットは、透明性の高い軟質のプラスチック素材で形成されることを特徴とする請求項１又は２に記載の服薬支援具。
【請求項４】
前記薬袋用ポケットは、少なくとも上端又は下端が開口し、下端が開口している場合には、下端に折り返し部が設けられることを特徴とする請求項１〜３の何れかに記載の服薬支援具。
【考案の詳細な説明】
【技術分野】
【０００１】
本考案は、認知症患者や高齢者の方等を含め服薬を支援する服薬支援具に関するものである。
【背景技術】
【０００２】
認知症患者や高齢者の方等を含め投薬された方においては、日常服薬している薬の服用を忘れたり、或いは誤って二度服用してしまったりと、定期的な服用が困難な場合が多い。
そこで、服用すべき薬を収納する袋を接着するエリアが設けられた日めくりカレンダーが知られている（特許文献１を参照）。しかしながら、特許文献１の日めくりカレンダーは、あくまでも壁掛け型であることを前提としているが、認知症患者などにとっては、食事の度に壁に掛けられたカレンダーを忘れず見るということは容易なことではなく、視認性が悪くも習慣としても失念しやすい。
【０００３】
そこで、ユーザが食事を摂るときに使う食卓などに設置可能な卓上型の服薬支援カレンダーが知られている（特許文献２を参照）。特許文献２の服薬支援カレンダーは、日めくりカレンダー部の表側及び裏側にそれぞれ硬質製部材からなる平板状のカバー板を備え、当該カバー板を支持部材などにより立設させて使用するものである。
【０００４】
しかしながら、特許文献２の服薬支援カレンダーでは、２枚のカバー板を必須の構成とすることから、使用開始時や使用終了時のように、カバー板の前後何れか一方にカレンダーが集まっている場合に使い辛いという問題がある。
図９は、従来の服薬支援カレンダーの使用イメージを示している。図９に示すように、服薬支援カレンダー１００は、日別カレンダー（２３ａ〜２３ｇ）、カバー板（３０１，３０２）及びカードリング４００から成る。なお、支持部材等は図示していない。日別カレンダー（２３ａ〜２３ｇ）には、薬袋挿入用袋部５００が設けられ、薬袋６を挿入して使用する。ここで、薬袋挿入用袋部５００に挿入する薬袋６の厚みが比較的薄いものであればあまり問題とはならないが、例えば、図９に示すように、比較的厚みのある薬袋６であるような場合には、日別カレンダー（２３ａ〜２３ｇ）の束が前方に向けて反り上がってしまい、ユーザ７から見た場合に、カレンダー表面の文字等が十分に視認できないという問題がある。
また、使用開始時には、カバー板の前方に日別カレンダー（２３ａ〜２３ｇ）の束が集まり、使用終了時においてはカバー板の後方に日別カレンダー（２３ａ〜２３ｇ）の束が集まるため、使用開始時には、矢印８ｂに示すように、前方に倒れやすく、逆に使用終了時においては後方に倒れやすく、支持部材等を用いたとしてもバランスが悪く、安定性の点で問題がある。
【先行技術文献】
【特許文献】
【０００５】
【特許文献１】実用新案登録第３１７９３６６号公報
【特許文献２】特開２０１８−１９６９６９号公報
【考案の概要】
【考案が解決しようとする課題】
【０００６】
上記状況に鑑みて、本考案は、視認性及び安定性が高く、取り扱いが容易な服薬支援具を提供することを目的とする。
【課題を解決するための手段】
【０００７】
上記目的を達成すべく、本考案の服薬支援具は、１）〜３）を備える。
１）一面に少なくとも１つの薬袋用ポケットを有する平板状の複数枚の曜日別カレンダーから成るカレンダー部、
２）２本の支柱部と該支柱部を連結する係合部から成るコ字状支持部と該コ字状支持部の両端が固定される台座部とを有するカレンダー支持具、
３）リング部材。
リング部材は、カレンダー部に設けられた貫通孔に挿通され、コ字状支持部の係合部が、リング部材のリングに挿通される。
【０００８】
かかる構成とされることにより、カレンダー部を日めくり式のカレンダーのように利用できる。そして、コ字状支持部が用いられることにより、曜日別カレンダーをめくる度に、次の曜日の曜日別カレンダーが順に前方に押し出され、常に視認性が高い状態を保持できる。
１）カレンダー部を構成する曜日別カレンダーは、７枚以上で構成されることが好ましく、より好ましくは７枚である。７枚で構成されることにより、一週間分の曜日別カレンダーとすることができる。
２）カレンダー支持具において、コ字状支持部及び台座部を構成する部材は、溶接等により接続され固定されたものでもよいし、一体成型されたものでもよいし、これらの組み合わせでもよい。カレンダー支持具を構成する部材の材質としては、金属製又は硬質の樹脂製であることが好ましい。
３）リング部材は、開閉できることが好ましく、公知の丸型又は楕円形のカードリングが好適に用いられる。
【０００９】
ここで、複数枚の曜日別カレンダーは、視認性を向上させ、また誤認等を回避するため、それぞれ異なる色で構成することも可能である。薬袋用ポケットは、透明性の高い軟質のプラスチック素材で形成される。また、薬袋用ポケットは、上端又は下端が開口し、下端が開口している場合には、下端に折り返し部が設けられる。
【考案の効果】
【００１０】
本考案によれば、視認性及び安定性が高く、取り扱いが容易となり、認知症患者や高齢者の方などの服薬必要な人を支援できるといった効果を有する。
【図面の簡単な説明】
【００１１】
【図１】実施例１の服薬支援具の外観斜視図
【図２】実施例１の曜日別カレンダーの説明図
【図３】実施例１のカレンダー支持具の説明図
【図４】リング部材の説明図
【図５】実施例１の服薬支援具の右側面図
【図６】実施例１の服薬支援具の使用イメージ図
【図７】実施例２の曜日別カレンダーの説明図
【図８】実施例２の薬袋用ポケットの使用イメージ図
【図９】従来技術の服薬支援カレンダーの使用イメージ図
【考案を実施するための形態】
【００１２】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１３】
図１は、実施例１の服薬支援具の外観斜視図を示している。図１に示すように、服薬支援具１は、カレンダー部２、カレンダー支持具３及びリング部材４から成る。カレンダー部２は、図５に示す７枚の曜日別カレンダー（２ａ〜２ｇ）で構成されているが、曜日別カレンダーの数は、ユーザのニーズに合わせて増減可能である。
カレンダー部２を構成する曜日別カレンダー（２ａ〜２ｇ）には、貫通孔（２１ａ，２１ｂ）が設けられている。２つのリング部材４は、それぞれ貫通孔（２１ａ，２１ｂ）を挿通し、かつカレンダー支持具３の係合部３２ｃに係合した状態で留められている。
カレンダー部２を構成する曜日別カレンダー（２ａ〜２ｇ）の各表面上には、それぞれ薬袋用ポケット５が設けられ、本実施例では、４つの薬袋用ポケット（５ａ〜５ｄ）が設けられている。薬袋用ポケット（５ａ〜５ｄ）の上端は開口部となっており、それぞれ薬袋６が挿入されている。
【００１４】
次に、実施例１の服薬支援具１を構成する各部材について説明する。図２は、実施例１の曜日別カレンダーの説明図を示している。ここでは、“月曜日”用の曜日別カレンダー２ａを例に説明するが、他の曜日用の曜日別カレンダーについても同様である。図２に示すように、曜日別カレンダー２ａは、カレンダー本体２０及び４つの薬袋用ポケット（５ａ〜５ｄ）から成り、カレンダー本体２０の表面上に薬袋用ポケット（５ａ〜５ｄ）が接着固定されている。
カレンダー本体２０は、可撓性を有する平板状の部材であり、軟質のプラスチック素材や、布・紙素材等、幅広い素材を適用可能である。また、可撓性を有しないカレンダー本体２０とする場合には、硬質のプラスチック素材等を用いることも可能である。カレンダー本体２０の上部には、“月曜日”との記載が印字されている。ここでは漢字で印字されているが、ひらがなやカタカナで表記してもよい。曜日の記載は、挿入する薬袋６の形状やユーザからの見易さなどを考慮して、カレンダー本体２０の上部以外の箇所に記載することでもよい。例えば、左上や右上に記載してもよいし、下部に記載してもよい。なお、図示していないが、カレンダー本体２０は、曜日別カレンダー（２ａ〜２ｇ）毎にそれぞれ異なる色で構成され、ユーザは色の違いで曜日等を識別することも可能である。
薬袋用ポケット（５ａ〜５ｄ）は、透明性の高い軟質のプラスチック素材で形成され、中身が見えやすい構造となっている。また、薬袋用ポケット（５ａ〜５ｄ）としては、硬質のプラスチック素材で形成され、上端の開口部を拡げることなく、予め薬袋６を挿入する空間が確保された構成でもよい。
薬袋用ポケット（５ａ〜５ｄ）の表面上には、薬を服用するタイミングを知らせる表記が印字されている。具体的には、薬袋用ポケット５ａには「あさ」、薬袋用ポケット５ｂには「ひる」、薬袋用ポケット５ｃには「よる」、そして薬袋用ポケット５ｄには「ねるまえ」と印字されている。ここではひらがなで印字されているが、漢字やカタカナ、アルファベットなどで表記してもよい。
前述のように、薬袋用ポケット（５ａ〜５ｄ）の上端は開口部となっており、図２に示すように、上方から薬袋６を挿し込んで配置することが可能である。
【００１５】
図３は、実施例１のカレンダー支持具の説明図を示している。図３に示すように、カレンダー支持具３は、略矩形の台座部３１、コ字状の支持部３２及び補強部３３で構成される。カレンダー支持具３を構成する部材は全て金属製であるが、硬質の樹脂素材等を用いてもよい。
台座部３１は、２つの長辺部（３１ａ，３１ｂ）及び２つの短辺部（３１ｃ，３１ｄ）から成り、図３に示すように、矩形に成形されている。長辺部（３１ａ，３１ｂ）及び短辺部（３１ｃ，３１ｄ）は、各部材を接続して成形してもよいし、１本の部材に曲げ加工を施しかつ端部を接続して成形してもよい。補強部３３は、長辺部３１ａ及び長辺部３１ｂの略中央の位置を繋ぐように接続されており、長方形状の台座部３１の強度を高めている。
コ字状の支持部３２は、支柱部（３２ａ，３２ｂ）及び係合部３２ｃから成り、係合部３２ｃの両端部にそれぞれ支柱部（３２ａ，３２ｂ）が接続されている。ここでも支柱部（３２ａ，３２ｂ）及び係合部３２ｃは、１本の部材に曲げ加工を施して成形してもよい。
支柱部３２ａの他端は、短辺部３１ｃの略中央の位置に接続されており、また、支柱部３２ｂの他端は、短辺部３１ｄの略中央の位置に接続されている。支柱部（３２ａ，３２ｂ）は、台座部３１に対して略垂直に設けられ、係合部３２ｃは、台座部３１に対して略水平に設けられる。
【００１６】
図４は、リング部材の説明図であり、（１）は実施例１のリング部材、（２）はその他の実施形態のリング部材を示している。図４（１）に示すように、実施例１のリング部材４は、湾曲部材（４ａ，４ｂ）及び軸部材４ｃから成り、湾曲部材（４ａ，４ｂ）を把持して左右に引っ張ることで係合状態を解除できる。リング部材４は硬質の金属から成り、鉄にニッケルメッキが施された素材が用いられているが、その他の金属や樹脂を用いてもよい。このように、リング部材４は、公知のカードリングと同様の構造となっており、円形状に限られず、楕円形状等の幅広いカードリングをリング部材４として利用可能である。
また、図４（２）に示すリング部材４０は、公知の丸形カラビナであり、湾曲部材（４０ａ，４０ｂ）及び軸部材４０ｃから成り、軸部材４０ｃは弾性機構を備えている。したがって、図４（２）に示すように湾曲部材４０ａを下方に押し込むことで係合状態を解除でき、湾曲部材４０ａを押し込む手を放すことで、係合状態とすることができる。丸形カラビナであるリング部材４０を用いた場合には、係合状態が不意に解除されることが少なく、使用時の利便性が高いという利点がある。
【００１７】
図５は、実施例１の服薬支援具の右側面図を示している。薬袋用ポケット５は可撓性のある軟質のプラスチック素材で形成されているため、図５に示すように、薬袋６が挿入されていない状態では、カレンダー部２はコンパクトに重ねられた状態となっている。したがって、服薬支援具１の非使用時は、コンパクトな形状で収納可能である。また、薬袋用ポケット５は、図５に示すように、上部にマチが設けられているため、幅広いサイズの薬袋６を収容可能である。
カレンダー支持具３の台座部３１の上端から支持部３２の上端までの高さＨ１は、カレンダー部２をカレンダー支持具３に取り付けた際の、カレンダー部２の下端から、リング部４とカレンダー支持具３の当接部までの高さＨ２よりも、高く設けられている。これにより、カレンダー部２を構成する曜日別カレンダー（２ａ〜２ｇ）は、カレンダー支持具３に取り付けられたまま、カレンダー支持具３と干渉することなく、係合部３２ｃの軸周りをリング部４に沿って回動可能となっている。
【００１８】
図６は、実施例１の服薬支援具の使用イメージ図を示している。図６に示すように、曜日別カレンダー（２ａ〜２ｇ）の薬袋用ポケット５には、それぞれ薬袋６が挿入されている。
従来技術の服薬支援カレンダー１００では、図９に示すように、日別カレンダー（２３ａ〜２３ｇ）に比較的厚みのある薬袋６を挿入して使用すると、日別カレンダー（２３ａ〜２３ｇ）の束が前方に向けて反り上がってしまい、ユーザ７から見た場合に、カレンダー表面の文字等が十分に視認できないという問題があった。
【００１９】
これに対して、実施例１の服薬支援具１では、カレンダー部２を構成する曜日別カレンダー（２ａ〜２ｇ）が、カレンダー支持具３に取り付けられたまま、カレンダー支持具３と干渉することなく、係合部３２ｃの軸周りをリング部４に沿って回動可能となっているため、曜日別カレンダー（２ａ〜２ｇ）はその自重により、前後にバランスの取れた位置に自然に配置されることになる。したがって、例えば、曜日別カレンダー２ａを見たユーザ７は、曜日別カレンダー２ａに印字された内容や、薬袋６を確実に視認することができる構造である。
また、一日分の服薬が完了し、矢印８ａに示すように、曜日別カレンダー２ａをめくった場合は、曜日別カレンダー２ａが最後尾に配置され、図示しないが“火曜日”用の曜日別カレンダー２ｂが最前段に配置されることになる。かかる場合も同様に、曜日別カレンダー（２ａ〜２ｇ）はその自重により、前後にバランスの取れた位置に自然に配置されることとなるため、曜日別カレンダー２ｂを見たユーザ７は、曜日別カレンダー２ｂに印字された内容や、薬袋６を確実に視認することができる構造である。これにより、ユーザ７による薬の飲み忘れや、二重服用といったトラブルを効果的に防止できる。
【実施例２】
【００２０】
図７は、実施例２の曜日別カレンダーの説明図を示している。図７に示すように、実施例２の曜日別カレンダー２２は、カレンダー本体２０、薬袋用ポケット（５０ａ〜５０ｄ）及び情報表示カード用ポケット（５１ａ〜５１ｄ，５２）から成る。
情報表示カード用ポケット（５１ａ〜５１ｄ）は、服薬タイミングを表示する情報表示カード（９ａ〜９ｄ）等を挿入できるものであり、情報表示カード用ポケット５２は、曜日や日付等を表示する情報表示カード９ｅ等を挿入できるものである。実施例１の曜日別カレンダー（２ａ〜２ｇ）と異なり、任意の情報表示カードを挿入して使用できる構成とすることにより、ユーザのニーズに合わせた仕様とすることができる。例えば、表記を、ひらがな、漢字、カタカナ又はアルファベットで表示してもよい。また、図７に示す以外に、「食前」、「食後」、「食間」といった表記を含めたカードを用いてもよい。情報表示カード用ポケット（５１ａ〜５１ｄ，５２）は、何れも上端部が開口しており、情報表示カード（９ａ〜９ｅ）を上方から挿入できるが、開口部は、上端部に限られず、例えば右端部又は左端部に開口部が設けられ、カードを右方又は左方から挿入できることでもよい。
なお、情報表示カード用ポケット５２の位置は、挿入する薬袋６の形状やユーザからの見易さなどを考慮して、カレンダー本体２０の上部以外の箇所に記載することでもよい。例えば、左上や右上に記載してもよいし、下部に記載してもよい。
【００２１】
次に、薬袋用ポケット（５０ａ〜５０ｄ）の構造について説明する。図８は、実施例２の薬袋用ポケットの使用イメージ図であり、（１）は封止時、（２）は開放時、（３）は薬袋の取り出し時を示している。ここでは、薬袋用ポケット５０ａを例に説明するが、他の薬袋用ポケット（５０ｂ〜５０ｄ）についても同様である。図８（１）に示すように、薬袋用ポケット５０ａは、薬袋用ポケット（５ａ〜５ｄ）と同様に、上端が開口部となっているが、薬袋用ポケット（５ａ〜５ｄ）とは異なり、下端に折り返し部５３が設けられ、ボタン５４により係止されている。折り返し部５３がボタン５４により係止されているため、薬袋用ポケット５０ａに挿入された薬袋６は下方から抜け落ちない構造である。
薬袋用ポケット５０ａの下方から薬袋６を取り出す場合には、図８（２）に示すように、ボタン５４を外して、係止部（５５ａ，５５ｂ）の係合状態を解除し、折り返し部５３を開く。その後、図８（３）に示すように、薬袋用ポケット５０ａの下方から薬袋６を取り出す。
このように、薬袋用ポケット（５０ａ〜５０ｄ）を用いることで、卓上に限られず、比較的高い位置に曜日別カレンダー２２を設置して利用するといったことが可能となる。
【００２２】
（その他の実施例）
１）カレンダー部２を構成する曜日別カレンダー（２ａ〜２ｇ）は、上端部で接合されてもよい。また、曜日別カレンダー（２ａ〜２ｇ）を上端部で接合するための接合部材を用いて接合し、接合部材に、係合部３２ｃを挿通するための貫通孔が設けられることでもよい。
２）実施例２の構成と異なり、服薬タイミングや曜日等を表示するための情報表示カード用ポケットを備える部材が更に設けられ、カレンダー支持具３に取り付けられることでもよい。かかる部材は例えば、硬質のプラスチック素材で形成される。
【産業上の利用可能性】
【００２３】
本考案は、認知症患者や高齢者などの服薬を支援する用具として有用である。
【符号の説明】
【００２４】
１  服薬支援具
２  カレンダー部
２ａ〜２ｇ，２２  曜日別カレンダー
３  カレンダー支持具
４，４０  リング部材
４ａ，４ｂ，４０ａ，４０ｂ  湾曲部材
４ｃ，４０ｃ  軸部材
５，５ａ〜５ｄ，５０ａ〜５０ｄ  薬袋用ポケット
６  薬袋
７  ユーザ
８ａ，８ｂ  矢印
９ａ〜９ｅ  情報表示カード
２０  カレンダー本体
２３ａ〜２３ｇ  日別カレンダー
２１ａ，２１ｂ  貫通孔
３１  台座部
３１ａ，３１ｂ  長辺部
３１ｃ，３１ｄ  短辺部
３２  支持部
３２ａ，３２ｂ  支柱部
３２ｃ  係合部
３３  補強部
５１ａ〜５１ｄ，５２  情報表示カード用ポケット
５３  折り返し部
５４  ボタン
５５ａ，５５ｂ  係止部
１００  服薬支援カレンダー
３０１，３０２  カバー部材
４００  カードリング
５００  薬袋挿入用袋部
Ｈ１，Ｈ２  高さ
【図１】
0003232198.tif 000003
【図２】
0003232198.tif 000004
【図３】
0003232198.tif 000005
【図４】
0003232198.tif 000006
【図５】
0003232198.tif 000007
【図６】
0003232198.tif 000008
【図７】
0003232198.tif 000009
【図８】
0003232198.tif 000010
【図９】
0003232198.tif 000011